(57)【要約】      （修正有）【課題】高い外観品質を有しながらも、ヘッド部裏面側に十分なボリュームが付与されたアイアンゴルフクラブヘッドを提供する。【解決手段】アイアンゴルフクラブヘッドは、フェース面と、フェース面とは反対側に位置する裏面とを有するヘッド部と、裏面と対向して裏面と接続されている対向面２４と、対向面２４とは反対側に位置して露出する露出面２３とを有するバッジ部とを備える。バッジ部は、対向面２４を有し樹脂材料からなる樹脂プレート２２と、露出面２３を有し金属材料からなる金属プレート２１とを含む。樹脂プレート２２には、対向面２４に対して凹んでいる複数の凹部２５が設けられている。複数の凹部２５は、トウヒール方向に並んで配置されている。対向面２４の面積Ｓ（単位：ｍｍ2）に対するバッジ部の体積Ｖ（単位：ｍｍ3）の比率Ｖ／Ｓが、４．０以上１０．０以下である。【選択図】図５
2019176972.tif 000002
【特許請求の範囲】
【請求項１】
打球面と、前記打球面とは反対側に位置する裏面とを有するヘッド部と、
前記裏面と対向して前記裏面と接続されている対向面と、前記対向面とは反対側に位置して露出する露出面とを有するバッジ部とを備えるアイアンゴルフクラブヘッドであって、
前記バッジ部は、前記対向面を有し樹脂材料からなる樹脂プレートと、前記露出面を有し金属材料からなる金属プレートとを含み、
前記樹脂プレートには、前記対向面に対して凹んでいる複数の凹部が設けられており、
前記複数の凹部は、前記アイアンゴルフクラブヘッドのヒール部からトゥ部に向かう第１方向に並んで配置されており、
前記第１方向における前記複数の凹部の幅は、前記アイアンゴルフクラブヘッドのトップエッジ部からリーディングエッジ部に向かう第２方向における前記複数の凹部のよりも短く、
前記対向面の面積Ｓ（単位：ｍｍ2）に対する前記バッジ部の体積Ｖ（単位：ｍｍ3）の比率Ｖ／Ｓが、４．０以上１０．０以下である、アイアンゴルフクラブヘッド。
【請求項２】
前記バッジ部は、前記第２方向において前記トップエッジ部側に位置する第１部分と、前記第１部分よりも前記リーディングエッジ部側に位置する第２部分とを有し、
前記第１部分の厚みは、前記第２部分の厚みよりも薄い、請求項１に記載のアイアンゴルフクラブヘッド。
【請求項３】
前記ヘッド部は、前記第１方向の略中央部分に位置する厚肉部と、前記厚肉部の周囲に位置する薄肉部と、前記厚肉部と前記薄肉部との間に位置しているテーパ部とを有しており、
前記裏面は、前記厚肉部に含まれる第１頂面と、前記薄肉部に含まれる第１底面と、前記テーパ部に含まれて前記第１頂面および前記第１底面に対して傾斜している第１傾斜面とを有し、
前記対向面は、前記第１頂面と対向する第２底面と、前記第１底面と対向する第２頂面と、前記第１傾斜面と対向し、かつ前記第２頂面および前記第２底面に対して傾斜している第２傾斜面とを有する、請求項１または２に記載のアイアンゴルフクラブヘッド。
【請求項４】
前記ヘッド部の反発係数が０．８２以上である、請求項１〜３のいずれか１項に記載のアイアンゴルフクラブヘッド。
【発明の詳細な説明】
【技術分野】
【０００１】
本発明は、アイアンゴルフクラブヘッドに関する。
【背景技術】
【０００２】
特許第６１２０９０６号には、樹脂プレートおよび金属プレートを含むプレート部材を備え、金属プレートはフェース部における打点と重ならないように配置されているゴルフクラブヘッドが開示されている。
【０００３】
特開２０１５−１８１７６９号公報には、厚肉部１６と薄肉部１８とを含むプレート部材を備え、厚肉部１６にはフェース部と接続される側とは反対側の表面、すなわち露出面に溝部が形成されているアイアンゴルフクラブヘッドが開示されている。
【先行技術文献】
【特許文献】
【０００４】
【特許文献１】特許第６１２０９０６号
【特許文献２】特開２０１５−１８１７６９号公報
【発明の概要】
【発明が解決しようとする課題】
【０００５】
しかしながら、特許第６１２０９０６号に記載のアイアンゴルフクラブヘッドでは、金属プレートに加えて樹脂プレートも露出している。高い外観品質を有するアイアンゴルフクラブヘッドを実現するためには、上記アイアンゴルフクラブヘッドよりも樹脂プレートの露出量を削減し、金属プレートの露出量を増大する必要がある。
【０００６】
また、ヘッド部裏面側に十分なボリュームが付与されたアイアンゴルフクラブヘッドでは、上級者に好まれるような打球感がえられる。この点に関し、特開２０１５−１８１７６９号公報に記載のアイアンゴルフクラブヘッドでは、上記ボリュームが十分に付与されているとは言えない。
【０００７】
本発明の主たる目的は剥がれにくく且つ高い外観品質を有しながらも、ヘッド部裏面側に十分なボリュームがあるバッジ部が付与されたアイアンゴルフクラブヘッドおよびアイアンゴルフクラブを提供することにある。
【課題を解決するための手段】
【０００８】
本発明に係るアイアンゴルフクラブヘッドは、打球面と、打球面とは反対側に位置する裏面とを有するヘッド部と、裏面と対向して裏面と接続されている対向面と、対向面とは反対側に位置して露出する露出面とを有するバッジ部とを備えるアイアンゴルフクラブヘッドである。バッジ部は、対向面を有し樹脂材料からなる樹脂プレートと、露出面を有し金属材料からなる金属プレートとを含む。樹脂プレートには、対向面に対して凹んでいる複数の凹部が設けられている。複数の凹部は、アイアンゴルフクラブヘッドのヒール部からトゥ部に向かう第１方向に並んで配置されている。第１方向における複数の凹部の幅は、アイアンゴルフクラブヘッドのトップエッジ部からリーディングエッジ部に向かう第２方向における複数の凹部のよりも短い。対向面の面積Ｓ（単位：ｍｍ2）に対するバッジ部の体積Ｖ（単位：ｍｍ3）の比率Ｖ／Ｓが、４．０以上１０．０以下である。
【発明の効果】
【０００９】
本発明に係るアイアンゴルフクラブヘッドのバッジ部は、露出面を有し金属材料からなる金属プレートを含むため、高い外観品質を有している。本発明に係るアイアンゴルフクラブヘッドは、対向面の面積Ｓ（単位：ｍｍ2）に対するバッジ部の体積Ｖ（単位：ｍｍ3）の比率Ｖ／Ｓが、４．０以上１０．０以下であるため、ヘッド部裏面側に十分なボリュームが付与されている。さらに、本発明に係るアイアンゴルフクラブヘッドのバッジ部にはヒール部からトゥ部に向かう第１方向に並んで配置された複数の凹部が設けられているため、バッジ部が第１方向に撓みやすく、繰り返し打球されたときにもヘッド部からバッジ部が剥がれにくい。つまり、本発明によれば、剥がれにくく且つ高い外観品質を有しながらも、ヘッド部裏面側に十分なボリュームがあるバッジ部が付与されたアイアンゴルフクラブヘッドを提供することができる。
【図面の簡単な説明】
【００１０】
【図１】本実施の形態に係るアイアンゴルフクラブヘッドの正面図である。
【図２】本実施の形態に係るアイアンゴルフクラブヘッドの背面図である。
【図３】図１中の線分ＩＩＩ−ＩＩＩから視た断面図斜視図であり、スコアラインセンターを通りかつスコアラインに垂直な方向に沿った断面斜視図である。
【図４】本実施の形態に係るプレート部材を、アイアンゴルフクラブヘッドの背面側から視た図である。
【図５】本実施の形態に係るプレート部材の断面斜視図である。
【図６】本実施の形態に係るプレート部材の分解斜視図である。
【図７】本実施の形態に係るヘッド部の背面図である。
【図８】本実施の形態に係るプレート部材を、アイアンゴルフクラブヘッドの正面側から視た図である。
【図９】図８に示される本実施の形態に係るプレート部材の凹部の部分拡大図である。
【図１０】図８中の線分Ｘ−Ｘから視た断面斜視図であり、トゥヒール方向と交差する方向に沿った断面斜視図である。
【図１１】図８中の線分ＸＩ−ＸＩから視た断面斜視図であり、トゥヒール方向に沿った断面斜視図である。
【図１２】本実施の形態に係るプレート部材の対向面の面積を説明するための図である。
【図１３】本実施の形態に係るアイアンゴルフクラブの正面図である。
【図１４ａ】実施例中の試料１のプレート部材を示す側面図である。
【図１４ｂ】実施例中の試料２のプレート部材を示す側面図である。
【図１４ｃ】実施例中の試料３のプレート部材を示す側面図である。
【図１４ｄ】実施例中の試料４のプレート部材を示す側面図である。
【図１４ｅ】実施例中の試料５のプレート部材を示す側面図である。
【図１４ｆ】実施例中の試料６のプレート部材を示す側面図である。
【図１５】アイアンゴルフクラブヘッドのフェースセンターＦＣを説明するための図である。
【発明を実施するための形態】
【００１１】
以下、図面を参照して、本発明の実施の形態について説明する。なお、以下の図面において同一または相当する部分には、同一の参照符号を付し、その説明は繰り返さない。
【００１２】
（本実施の形態）
＜アイアンゴルフクラブヘッドの構成＞
図１〜図１２に示されるように、本実施の形態に係るアイアンゴルフクラブヘッド１００は、ヘッド部１と、バッジ部２と、接着部３とを備える。
【００１３】
図１〜図３に示されるように、ヘッド部１は、本体部１０とホーゼル部２０とを含む。本体部１０は、トップエッジ部１０ａ、リーディングエッジ部１０ｂ、ヒール部１０ｃ、トゥ部１０ｄ、フェース面１１と、溝部１２と、縁部１３と、キャビティ部１４と、裏面１５とを有している。
【００１４】
トップエッジ部１０ａは、アイアンゴルフクラブヘッド１００が設定されているロフト角およびライ角となるように水平面に設置された状態（以下、「基準位置」という）において、本体部１０の上端部を成す部分である。リーディングエッジ部１０ｂは、上記基準位置において、本体部１０の前端部を成す部分である。なお、本体部１０における前または後とは、スイングされるときのアイアンゴルフクラブヘッド１００の進行方向における前または後を指す。ヒール部１０ｃは、ホーゼル部２０の下端とリーディングエッジ部１０ｂとを接続する部分である。トゥ部１０ｄは、ヒール部１０ｃと対向する位置で，トップエッジ部１０ａとリーディングエッジ部１０ｂとを接続する部分である。トップエッジ部１０ａとリーディングエッジ部１０ｂとの間の距離は、ヒール部１０ｃとトゥ部１０ｄとの間の距離よりも短い。
【００１５】
フェース面１１は、打球面である。フェース面１１は、トップエッジ部１０ａ、リーディングエッジ部１０ｂ、ヒール部１０ｃ、およびトゥ部１０ｄに囲まれている。フェース面１１には複数の溝部（スコアライン）１２が設けられている。複数の溝部１２の各々は、上記基準位置にあるときに、水平方向に沿って直線状に延在している。複数の溝部１２の各々は、上記基準位置にあるときに、上下方向（第２方向）に互いに間隔を隔てて配置されている。
【００１６】
図２および図３に示されるように、縁部１３、キャビティ部１４、および裏面１５は、フェース面１１の後方側に形成されている。裏面１５は、フェース面１１とは反対側に位置する面である。縁部１３は、裏面１５の外周を取り囲んでいる。キャビティ部１４は、縁部１３に囲まれており、かつ裏面１５を底面とする凹部である。縁部１３には、アンダーカット１９が設けられている。アンダーカット１９は、裏面１５の外縁部に沿った溝形状を有している。
【００１７】
図１〜図３および図７に示されるように、ヘッド部１は、例えばフェース面１１に垂直な方向の厚みが相対的に厚い厚肉部１６と、当該厚みが厚肉部１６と比べて薄い薄肉部１８と、当該厚みが徐々に変化しており厚肉部１６と薄肉部１８との間を接続するテーパ部１７とを有している。厚肉部１６は、例えばヘッド部１のヒール部１０ｃからトゥ部１０ｄに向かうトゥヒール方向（第１方向）の略中央部分に位置する。薄肉部１８は、厚肉部１６の周囲に位置する。テーパ部１７は、厚肉部１６と薄肉部１８との間に位置する。裏面１５は、厚肉部１６に含まれる第１頂面１５ａと、薄肉部１８に含まれる第１底面１５ｃと、テーパ部１７に含まれかつ第１頂面１５ａおよび第１底面１５ｃに対して傾斜している第１傾斜面１５ｂとを有している。
【００１８】
第１頂面１５ａは、フェース面１１に垂直な方向において第１底面１５ｃに対し０．２５ｍｍ以上１．５０ｍｍ以下突出している。薄肉部１８の厚みは、例えば１．８ｍｍ以上３．０ｍｍ以下である。
【００１９】
厚肉部１６および第１頂面１５ａのトゥヒール方向における中心は、フェース面１１に垂直な方向において、フェース面１１のスコアラインセンターと重なっている。厚肉部１６および第１頂面１５ａは、リーディングエッジ部１０ｂに接している。薄肉部１８は、厚肉部１６の周囲に位置している。テーパ部１７は、厚肉部１６と薄肉部１８の間に位置している。第１底面１５ｃは、第１頂面１５ａの周囲に位置している。第１傾斜面１５ｂは、第１頂面１５ａと第１底面１５ｃとの間に位置している。第１頂面１５ａのトゥヒール方向における最大幅Ｗ１は、例えば３．１ｍｍ以上４．７ｍｍ以下であり、好ましくは３．５ｍｍ以上４．３ｍｍ以下である。第１頂面１５ａの第２方向における最大幅Ｗ２は、例えば１８．３ｍｍ以上２７．５ｍｍ以下であり、好ましくは２０．６ｍｍ以上２５．２ｍｍ以下である。第１傾斜面１５ｂの第２方向における最大幅Ｗ３は、例えば５．２ｍｍ以上７．８ｍｍ以下であり、好ましくは５．８ｍｍ以上７．２ｍｍ以下である。
【００２０】
ヘッド部１を構成する材料は、例えばチタン（Ｔｉ）、マルエージング鋼、クロムモリブデン鋼、ステンレス鋼、炭素鋼などを含む。
【００２１】
図２および図３に示されるように、バッジ部２は、ヘッド部１の裏面１５に固定されている。バッジ部２は、ヘッド部１のキャビティ部１４内に収容されている。バッジ部２の外縁部は、縁部１３に囲まれている。
【００２２】
図３および図４に示されるように、バッジ部２は、上縁部２０ａと、下縁部２０ｂと、ヒール側縁部２０ｃと、トゥ側縁部２０ｄと、露出面２３と、対向面２４とを有している。上縁部２０ａは、トップエッジ部１０ａ側に位置する。下縁部２０ｂは、リーディングエッジ部１０ｂ側に位置する。ヒール側縁部２０ｃは、ヒール部１０ｃ側に位置する。トゥ側縁部２０ｄは、トゥ部１０ｄ側に位置する。露出面２３および対向面２４は、上縁部２０ａ、下縁部２０ｂ、ヒール側縁部２０ｃ、およびトゥ側縁部２０ｄに囲まれている。
【００２３】
図３に示されるように、対向面２４は、ヘッド部１の裏面１５と対向しており、接着部３を介して裏面１５と接着されている。露出面２３は、対向面２４とは反対側に位置し、アイアンゴルフクラブヘッド１００を後方から視たときに視認される面である。バッジ部２の上縁部２０ａ、下縁部２０ｂ、ヒール側縁部２０ｃ、およびトゥ側縁部２０ｄは、ヘッド部１の縁部１３に囲まれている。バッジ部２の下縁部２０ｂは、例えばヘッド部１のアンダーカット１９を塞いでいる。下縁部２０ｂの後方部分は、例えば縁部１３に接触している。
【００２４】
図４に示されるように、バッジ部２のヒール側縁部２０ｃとトゥ側縁部２０ｄとの間の間隔は、バッジ部２の上縁部２０ａと下縁部２０ｂとの間の間隔よりも長い。バッジ部２の上縁部２０ａと下縁部２０ｂとの間の間隔は、例えばバッジ部２の最大厚み、すなわち露出面２３と対向面２４との間の最長距離以上である。
【００２５】
図３〜図５に示されるように、バッジ部２は、厚みが相対的に薄い第１部分２０ｅと、当該厚みが第１部分２０ｅと比べて厚い第２部分２０ｆとを有している。第１部分２０ｅおよび第２部分２０ｆは、上下方向に並んでいる。上記基準位置において、第１部分２０ｅは、第２部分２０ｆよりも上方に配置される。第１部分２０ｅは、上縁部２０ａを有している。第２部分２０ｆは、下縁部２０ｂを有している。第１部分２０ｅおよび第２部分２０ｆの厚みは、上縁部２０ａから下縁部２０ｂに向かうにつれて徐々に厚くなっている。第１部分２０ｅと第２部分２０ｆとの境界は、ヒール側縁部２０ｃとトゥ側縁部２０ｄとの間をトゥヒール方向に沿って延びている。
【００２６】
図４〜図６に示されるように、バッジ部２は、金属プレート２１と、樹脂プレート２２とを含む。金属プレート２１および樹脂プレート２２は、フェース面１１に垂直な方向に積層している。金属プレート２１は、樹脂プレート２２よりも後方に配置されており、露出面２３を有している。露出面２３は、金属プレート２１のみによって構成されている。樹脂プレート２２は、対向面２４を有しており、露出面２３を有していない。金属プレート２１の露出面２３とは反対側に位置する第１接合面と、樹脂プレート２２の対向面２４とは反対側に位置する第２接合面２６とが接合されている。第１部分２０ｅおよび第２部分２０ｆの各々は、金属プレート２１および樹脂プレート２２が積層した構造を有している。
【００２７】
図５に示されるように、金属プレート２１の第１接合面と露出面２３との間の距離の平均値は、樹脂プレート２２の第２接合面２６と対向面２４との間の距離の平均値よりも短い。金属プレート２１の第１接合面と露出面２３との間の距離は、略一定である。
【００２８】
図５および図６に示されるように、樹脂プレート２２は、厚みが相対的に薄い第３部分２２ｅと、当該厚みが第３部分２２ｅと比べて厚い第４部分２２ｆとを有している。第３部分２２ｅおよび第４部分２２ｆは、上下方向に並んでいる。上記基準位置において、第３部分２２ｅは、第４部分２２ｆよりも上方に配置される。樹脂プレート２２の第２接合面２６と対向面２４との間の距離は、上縁部２０ａから下縁部２０ｂに向かうにつれて徐々に長くなっている。樹脂プレート２２の第２接合面２６と対向面２４との間の距離は、トゥヒール方向の中央部からヒール側縁部２０ｃに向かうにつれて徐々に短くなっている。第１部分２０ｅおよび第２部分２０ｆの上記厚みの分布は、樹脂プレート２２の第３部分２２ｅおよび第４部分２２ｆの上記厚みの分布に由来している。
【００２９】
図５および図８〜図１１に示されるように、樹脂プレート２２には、対向面２４に対して凹んでいる複数の凹部２５が設けられている。複数の凹部２５は、トゥヒール方向において、少なくとも中央部分に配置されていればよいが、好ましくはトゥヒール方向の中央部分よりもヒール部１０ｃ側に配置されている複数の凹部２５と、トゥヒール方向の中央部分よりもトゥ部１０ｄ側に配置されている複数の凹部２５とを有している。複数の凹部２５は、トゥヒール方向に互いに間隔を隔てて並んでいる。トゥヒール方向に隣り合う２つの凹部２５間を隔てる対向面２４は、トゥヒール方向と交差する方向に沿って延在している。
【００３０】
複数の凹部２５は、ヘッド部１のトゥヒール方向の略中央部分に配置されている第１群の凹部２５と、ヘッド部１のトゥヒール方向の略中央部分よりもヒール部１０ｃ側に配置されている第２群の凹部２５と、トゥヒール方向の中央部分よりもトゥ部１０ｄ側に配置されている第３群の凹部２５とを有している。第１群の凹部２５はフェース面１１に垂直な方向においてヘッド部１の第１頂面１５ａ、第１傾斜面１５ｂおよび第１底面１５ｃと対向している。第２群および第３群の凹部２５はフェース面１１に垂直な方向においてヘッド部１の第１底面１５ｃと対向している。
【００３１】
複数の凹部２５は、少なくとも第２部分２０ｆに設けられている。複数の凹部２５は、例えば第１部分２０ｅおよび第２部分２０ｆに設けられている。例えば、各凹部２５の一部が第２部分２０ｆに設けられており、かつ各凹部２５の残部が第１部分２０ｅの第２部分２０ｆ側に位置する部分に設けられている。各凹部２５の上縁部２０ａ側に位置する端部は、例えば上縁部２０ａの延在方向に沿うように配置されている。各凹部２５の下縁部２０ｂ側に位置する端部は、例えば下縁部２０ｂの延在方向に沿うように配置されている。各凹部２５において、第１部分２０ｅに設けられている部分の対向面２４に対する深さは、第２部分２０ｆに設けられている部分の対向面２４に対する深さよりも、浅い。
【００３２】
図５に示されるように、各凹部２５の対向面２４に対する深さは、例えば上縁部２０ａから下縁部２０ｂに向かうにつれて徐々に深くなっている。各凹部２５において、対向面２４に対する深さが最も深い最深部は、最も下縁部２０ｂ側に位置する。
【００３３】
図５に示されるように、複数の凹部２５の少なくとも一部は、例えば対向面２４に対して第１の傾斜角を成して傾斜する面２５ａと、当該面２５ａの下縁部２０ｂ側に位置する端部に接続されており、かつ対向面２４に対して第１の傾斜角超えの第２の傾斜角を成して傾斜する面２５ｂとを有している。このような凹部２５において、面２５ａおよび面２５ｂは一辺を共有している。各凹部２５の当該一辺は、トゥヒール方向に沿って延びている。
【００３４】
図８に示されるように、対向面２４は、第１頂面１５ａと対向する第２底面２４ａと、第１底面１５ｃと対向する第２頂面２４ｃと、第１傾斜面１５ｂと対向し、かつ第２底面２４ａおよび第２頂面２４ｃに対して傾斜している第２傾斜面２４ｂとを有する。
【００３５】
第２底面２４ａは、フェース面１１に垂直な方向において、フェース面１１のスコアラインセンターと重なっている。第２底面２４ａは、下縁部２０ｂに接している。第２頂面２４ｃは、厚肉部１６の周囲に位置している。第２傾斜面２４ｂは、第２底面２４ａと第２頂面２４ｃとの間に位置している。第１頂面１５ａと第２底面２４ａとは例えば平行である。第１傾斜面１５ｂと第２傾斜面２４ｂとは例えば平行である。第１底面１５ｃと第２頂面２４ｃとは例えば平行である。第１頂面１５ａと第２底面２４ａとの間の距離、第１傾斜面１５ｂと第２傾斜面２４ｂとの間の距離、および第１底面１５ｃと第２頂面２４ｃとの間の距離は、例えば等しい。第２頂面２４ｃは、フェース面１１に垂直な方向において第２底面２４ａに対し０．２５ｍｍ以上１．５０ｍｍ以下突出している。
【００３６】
図８に示されるように、複数の凹部２５のうち、トゥヒール方向の両端部に位置する２つの凹部２５間に位置する各凹部２５では、上縁部２０ａから下縁部２０ｂに向かう方向の幅がトゥヒール方向の幅よりも広い。トゥヒール方向の両端部に位置する２つの凹部２５のトゥヒール方向の各幅は、例えば当該２つの凹部２５間に位置する各凹部２５のトゥヒール方向の各幅よりも広い。トゥヒール方向において隣り合う２つの凹部２５間のトゥヒール方向の間隔は、上記２つの凹部２５間に位置する各凹部２５のトゥヒール方向の各幅よりも短い。当該２つの凹部２５間に位置する各凹部２５のトゥヒール方向の各幅Ｗ５は、例えば一定であり、例えば２ｍｍ以上４ｍｍ以下である。トゥヒール方向において隣り合う２つの凹部２５間のトゥヒール方向の間隔Ｗ６は、例えば一定であり、例えば１ｍｍ以上３ｍｍ以下である。複数の凹部２５のうちの個々の凹部２５について、その最大寸法Ｗ７は、トゥヒール方向の略中央部に位置する凹部２５の上縁部２０ａから下縁部２０ｂに向かう方向の幅であり、例えば１２ｍｍ以上１５ｍｍ以下である。複数の凹部２５のトゥヒール方向の一端と他端との間の間隔Ｗ４は、複数の凹部２５の最大寸法Ｗ７超えであり、例えば５２ｍｍ以上７８ｍｍ以下である。
【００３７】
図８および図９に示されるように、複数の凹部２５のうちの個々の凹部２５について、その最大深さＤ１は、トゥヒール方向の略中央部に位置する凹部２５の上記最深部の深さであり、例えば４．３ｍｍ以上８．３ｍｍ以下である。最大深さＤ１を示す凹部２５は、例えば最大寸法Ｗ７を示す凹部２５と一致する。
【００３８】
図８に示されるように、凹部２５は、例えば１２個設けられている。最大寸法Ｗ７を有する凹部２５は、例えば最もトゥ部側に位置する凹部２５からトゥヒール方向に数えて５番目である。
【００３９】
図８に示されるように、各凹部２５のトゥヒール方向の幅は、例えばヘッド部１の第１頂面１５ａのトゥヒール方向の幅以下であり、例えば第１頂面１５ａのトゥヒール方向の幅未満である。各凹部２５のトゥヒール方向の幅は、例えば第２底面２４ａのトゥヒール方向の幅以下であり、例えば第２底面２４ａのトゥヒール方向の幅未満である。
【００４０】
図４および図５に示されるように、バッジ部２は、露出面２３を平面視したときに、第２部分２０ｆとともに第１部分２０ｅを囲む周縁部２０ｇをさらに有していてもよい。周縁部２０ｇの厚みは、第１部分２０ｅにおいて周縁部２０ｇに隣接している部分の厚みよりも厚く、第２部分２０ｆの厚みよりも薄い。
【００４１】
図１０に示されるように、トゥヒール方向と交差する方向に沿った断面上に現れる第１部分２０ｅ、第２部分２０ｆおよび周縁部２０ｇに形成された各凹部２５の底部と露出面２３との間の最短距離は、例えば各凹部２５によって異なる。第１部分２０ｅに形成された凹部２５の底部と露出面２３との間の最短距離Ｌ１は、周縁部２０ｇに形成された凹部２５の底部と露出面２３との間の最短距離Ｌ２よりも短い。第２部分２０ｆに形成された凹部２５の底部と露出面２３との間の最短距離Ｌ３，Ｌ４は、上記最短距離Ｌ１，Ｌ２よりも長い。第２部分２０ｆにおいてヒール部１０ｃ側に形成された凹部２５の底部と露出面２３との間の最短距離Ｌ４は、当該凹部２５よりもバッジ部２の中央部側に形成された凹部２５の底部と露出面２３との間の最短距離Ｌ３よりも短い。
【００４２】
図１１に示されるように、トゥヒール方向に沿った断面上に現れる第２部分２０ｆに形成された各凹部２５の底部と露出面２３との間の最短距離Ｌ５は、例えば等しい。最短距離Ｌ５は、上記最短距離Ｌ１，Ｌ２よりも長い。最短距離Ｌ５は、例えば上記最短距離Ｌ３，Ｌ４よりも短い。
【００４３】
図１２に示されるように、対向面２４を平面視したときに、バッジ部２の外形線に囲まれた領域の全面積に対し複数の凹部２５が占める領域の面積の割合は、例えば２０％以上４０％以下である。言い換えると、対向面２４を平面視したときに、バッジ部２の外形線に囲まれた領域の全面積に対し対向面２４の面積の割合は、例えば６０％以上８０％以下である。
【００４４】
金属プレート２１を構成する材料は、比較的撓みやすい任意の金属材料であればよいが、例えばアルミニウム（Ａｌ）を含む。金属プレート２１は、任意の方法により形成され得るが、例えば電鋳により形成される。樹脂プレート２２を構成する材料は、熱硬化性エストラマーまたは熱可塑性エストラマーを含む。熱硬化性エストラマーは、例えば天然ゴム、またはウレタンゴム等の合成ゴムである。熱可塑性エストラマーは、例えば熱可塑性ポリウレタンＴＰＵ（Thermoplastic Polyurethane）、スチレン系熱可塑性エストラマーＴＰＳ（Thermoplastic Styrenic Elastomer）、またはオレフィン系熱可塑性エストラマーＴＰＯ（Thermoplastic Olefinic Elastomer）である。樹脂プレート２２は、エポキシ樹脂やＡＢＳ（Acrylonitrile Butadiene Styrene）樹脂と比べて、低剛性である。樹脂プレート２２は、任意の方法により形成され得るが、例えば予め電鋳により形成された金属プレート２１が内部に配置された金型に、樹脂が充填されることにより形成される。
【００４５】
接着部３は、両面テープである。接着部３は、ヘッド部１の裏面１５と接着している第１接着面と、当該第１接着面と反対側に位置しバッジ部２の対向面２４と接着している第２接着面とを有している。接着部３の第１接着面は、裏面１５の第１頂面１５ａ、第１傾斜面１５ｂ、および第１底面１５ｃと接着している。接着部３の第２接着面は、対向面２４の第２底面２４ａ、第２傾斜面２４ｂ、および第２頂面２４ｃと接着している。
【００４６】
接着部３は、厚みや粘着力が適正なものであればよい。
アイアンゴルフクラブヘッド１００では、対向面２４の面積Ｓ（単位：ｍｍ2）に対するバッジ部２の体積Ｖ（単位：ｍｍ3）の比率Ｖ／Ｓが、４．０以上１０．０以下である。対向面２４の面積Ｓは、第２底面２４ａ、第２頂面２４ｃおよび第２傾斜面２４ｂの面積の総和であり、複数の凹部２５の内周面の面積を含まない。バッジ部２の体積Ｖは、露出面２３および対向面２４を含むバッジ部２の外周面に囲まれた領域の体積であり、複数の凹部２５の体積を含まない。体積Ｖは、例えばバッジ部２を水中に投入することにより測定され得る。上述のように、上記比率Ｖ／Ｓは、距離の次元をもっており、バッジ部２の厚みを平均化したときの平均厚みに対応する。上記比率Ｖ／Ｓが大きい程、バッジ部２の平均厚みは厚くなる。
【００４７】
ヘッド部１の反発係数ＣＯＲは、０．８２以上であるのが好ましい。ここで、反発係数の測定方法について説明する。アイアンゴルフクラブヘッド１００のフェース面１１が地面および衝突させるゴルフボールに対して垂直に向けられた状態で、ゴルフボールがスコアラインの中央またはスイートスポット位置に衝突した際の衝突前のゴルフボールのスピード（Ｖｉｎ）と衝突後のゴルフボールのスピード（Ｖｏｕｔ）とが光学式センサーを有する速度測定器で測定される。Ｖｉｎは、４０．５±０．５ｍ／ｓである。
【００４８】
測定されたＶｉｎおよびＶｏｕｔと、アイアンゴルフクラブヘッド１００の質量Ｍと、ゴルフボールの質量ｍとから次の式（１）により反発係数ＣＯＲが測定される。
【００４９】
ＶOUT／ＶIN＝（ｅＭ−ｍ）／（Ｍ＋ｍ）・・・・（１）
＜アイアンゴルフクラブの構成＞
図１３に示されるように、アイアンゴルフクラブ２００は、上記アイアンゴルフクラブヘッド１００と、シャフト１１０と、グリップ１２０とを備える。シャフト１１０は、一方端および他方端を有している。アイアンゴルフクラブヘッド１００は、シャフト１１０の上記一方端に取り付けられている。グリップ１２０は、シャフト１１０の上記他方端に取り付けられている。
【００５０】
＜作用効果＞
アイアンゴルフクラブヘッド１００は、フェース面１１と、フェース面１１とは反対側に位置する裏面１５とを有するヘッド部１と、裏面１５と対向して裏面１５と接続されている対向面２４と、対向面２４とは反対側に位置して露出する露出面２３とを有するバッジ部２とを備える。バッジ部２は、対向面２４を有し樹脂材料からなる樹脂プレート２２と、露出面２３を有し金属材料からなる金属プレート２１とを含む。樹脂プレート２２には、対向面２４に対して凹んでいる複数の凹部２５が設けられている。複数の凹部２５は、トウヒール方向に並んで配置されている。対向面２４の面積Ｓ（単位：ｍｍ2）に対するバッジ部２の体積Ｖ（単位：ｍｍ3）の比率Ｖ／Ｓが、４．０以上１０．０以下である。
【００５１】
このようなアイアンゴルフクラブヘッド１００は、上記比率Ｖ／Ｓが４．０以上であるため、上級者に好まれるような打球感がえられる。なお、後述する実施例に、上記比率Ｖ／Ｓと、ゴルファーが受けるボリューム感との関係性を評価した官能評価試験の結果を示す。
【００５２】
また、上記比率Ｖ／Ｓが１０．０超えである場合、このようなバッジ部を収容するためには大きなキャビティ部１４が必要となり、アイアンゴルフクラブヘッド１００の外観品質が損なわれる。アイアンゴルフクラブヘッド１００は、上記比率Ｖ／Ｓが１０．０以下であるため、バッジ部２によって外観品質が損なわれていない。
【００５３】
さらに、アイアンゴルフクラブヘッド１００は、バッジ部２が金属プレート２１を含み、金属プレート２１がバッジ部２の露出面２３を有している。そのため、アイアンゴルフクラブヘッド１００の外観品質は、樹脂プレート２２が露出面２３を有している場合の外観品質と比べて、高い。
【００５４】
一方で、上記比率Ｖ／Ｓが４．０以上であって金属プレート２１を含むバッジ部２は、上記比率Ｖ／Ｓが４．０以上であって金属プレート２１を含まないバッジ部と比べて、高剛性であって、撓みにくい。特に、アイアンゴルフクラブヘッド１００の本体部１０では、ヒール部１０ｃとトゥ部１０ｄとの間の距離がトップエッジ部１０ａとリーディングエッジ部１０ｂとの間の距離よりも長いため、打球時のトゥヒール方向の撓み長さは上下方向の撓み長さと比べて長くなる。そのため、バッジ部２がトゥヒール方向に撓みにくい場合には、バッジ部２が打球時のヘッド部１の撓みに追従できず、ヘッド部１から剥がれ易くなるという問題がある。
【００５５】
これに対し、バッジ部２は、樹脂プレート２２にトゥヒール方向に並んで配置された複数の凹部２５が設けられているため、上記比率Ｖ／Ｓが４．０以上であって金属プレート２１を含みながらも、トゥヒール方向に撓みやすい。よって、アイアンゴルフクラブヘッド１００では、バッジ部２がヘッド部１の撓みに追従できるため、ヘッド部１からバッジ部２が剥がれにくい。なお、後述する実施例に、複数の凹部２５が設けられたバッジ部２と、複数の凹部２５が設けられていないバッジ部とについて、トウヒール方向の撓みやすさを評価したシミュレーション結果を示す。さらに、後述する実施例に、アイアンゴルフクラブヘッド１００について、バッジ部２の剥がれにくさを評価した試験結果を示す。
【００５６】
アイアンゴルフクラブヘッド１００において、バッジ部２は、トップエッジ部１０ａ側に位置する第１部分２０ｅと、第１部分２０ｅよりもリーディングエッジ部１０ｂ側に位置する第２部分２０ｆとを有している。第１部分２０ｅの厚みは、第２部分２０ｆの厚みよりも薄い。
【００５７】
アイアンゴルフクラブヘッド１００において、ヘッド部１は、トゥヒール方向の略中央部分に位置する厚肉部１６と、厚肉部１６の周囲に位置する薄肉部１８と、厚肉部１６と薄肉部１８との間に位置しているテーパ部１７とを有している。裏面１５は、厚肉部１６に含まれる第１頂面１５ａと、薄肉部１８に含まれる第１底面１５ｃと、テーパ部１７に含まれて第１頂面１５ａおよび第１底面１５ｃに対して傾斜している第１傾斜面１５ｂとを有している。対向面２４は、第１頂面１５ａと対向する第２底面２４ａと、第１底面１５ｃと対向する第２頂面２４ｃと、第１傾斜面１５ｂと対向し、かつ第２頂面２４ｃおよび第２底面２４ａに対して傾斜している第２傾斜面２４ｂとを有している。
【００５８】
このようにすれば、ヘッド部１が厚肉部１６、薄肉部１８およびテーパ部を有しており、厚肉部１６の第１頂面１５ａと薄肉部１８の第１底面１５ｃとが連続的な肉厚変化をもって接続されている。そのため、アイアンゴルフクラブヘッド１００では、厚肉部１６および薄肉部１８を有するがテーパ部を有していないアイアンゴルフクラブヘッドと比べて、厚肉部１６と薄肉部１８との接続部分における応力集中が緩和される。その結果、アイアンゴルフクラブヘッド１００によると、厚肉部１６の厚さと薄肉部１８の厚さとの差が小さいにもかかわらず耐久性が向上する。
【００５９】
また、アイアンゴルフクラブヘッド１００のヘッド部１はテーパ部が設けられていることにより耐久性が向上されているため、厚肉部１６の厚みを薄くすることができる。これにより、アイアンゴルフクラブヘッド１００は、スイートスポットにおいて高い反発性能を有している。また、アイアンゴルフクラブヘッド１００では、厚肉部１６および薄肉部１８を有するがテーパ部を有していないアイアンゴルフクラブヘッドと比べて、ヘッド重量を軽くすることが可能となる。
【００６０】
アイアンゴルフクラブヘッド１００はテーパ部を有しているため、厚肉部１６および薄肉部１８を有するがテーパ部を有していないアイアンゴルフクラブヘッドと比べて、スイートスポットで打球した場合とその周辺領域で打球した場合の飛距離の差が小さくされている。
【００６１】
アイアンゴルフクラブヘッド１００では、ヘッド部１の反発係数ＣＯＲが０．８２以上であるのが好ましい。ヘッド部１がこのように高い反発性能を有している場合にも、バッジ部２はトゥヒール方向に撓みやすく設けられているため、打球時にヘッド部１から剥がれにくい。そのため、アイアンゴルフクラブヘッド１００は、上述した効果を奏することができるとともに、高い打撃性能を有している。
【００６２】
アイアンゴルフクラブ２００は、アイアンゴルフクラブヘッド１００を備えている。これにより、アイアンゴルフクラブ２００は、高い外観品質を有しながらも、ヘッド部裏面側の中央領域内に十分なボリュームが付与されている。
【実施例】
【００６３】
本発明者らは、本発明に係るアイアンゴルフクラブヘッドを想到するにあたり、以下の実験を実施した。
＜実験１：ゴルファーが求めるバッジ部のボリューム感＞
本実験では、ゴルファーがバッジ部から受けるボリューム感を官能評価した。
【００６４】
まず、同等の構成を備える６つのヘッド部と、上記比率Ｖ／Ｓが１．０以上６．０以下の範囲で互いに異なる６つのバッジ部とを準備した(図１４)。１つのヘッド部のキャビティ部に１つのバッジ部を固定し、試料１〜６のアイアンゴルフクラブヘッドを準備した。試料１の上記比率Ｖ／Ｓは１．０、試料２の上記比率Ｖ／Ｓは２．０、試料３の上記比率Ｖ／Ｓは３．０、試料４の上記比率Ｖ／Ｓは４．０、試料５の上記比率Ｖ／Ｓは５．０、および試料６の上記比率Ｖ／Ｓは６．０であった。
【００６５】
次に、試料１〜６のアイアンゴルフクラブヘッドを視認したゴルファーが、試料１〜６の各バッジ部にボリューム感を感じるか否かを評価した。本評価の被験者は、７人のゴルファーとした。表１に、評価結果を示す。表１には、各被験者がボリューム感を感じると回答した試料のうち上記比率の最小値が示されている。
【００６６】
【表１】
2019176972.tif 000003
【００６７】
表１に示されるように、７人中５人のゴルファーが比率Ｖ／Ｓが４である試料４のバッジ部にボリューム感を感じると回答し、７人のゴルファー全員が比率Ｖ／Ｓが５である試料５のバッジ部にボリューム感を感じると回答した。本発明者らは、本実験から、上記比率Ｖ／Ｓが４．０以上であるアイアンゴルフクラブヘッド１００を実現することで、ゴルファーが満足できるボリューム感を有するアイアンゴルフクラブヘッドを実現するとの着想を得た。
＜実験２：既製品のバッジ部および本実施の形態に係るバッジ部のボリューム感＞
本実験では、出願人が製造販売している試料７〜１０のアイアンゴルフクラブヘッドの上記比率を評価した。さらに、試料１１のアイアンゴルフクラブヘッドとして、図１〜図１２に示される本実施の形態に係るアイアンゴルフクラブヘッド１００の上記比率を評価した。表２に、評価結果を示す。なお、試料１１のアイアンゴルフクラブヘッドの各寸法値は、以下の通りとした。上記間隔Ｗ４は６４．８ｍｍ、上記幅Ｗ５は３ｍｍ、上記間隔Ｗ６は２ｍｍ、上記最大寸法Ｗ７は１３．５ｍｍ、上記最大深さＤ１は６．３ｍｍとした。バッジ部の上記第２底面は上記第２頂面に対して０．５ｍｍ凹んでいた。対向面を平面視したときに、バッジ部の外形線に囲まれた領域の全面積に対し複数の凹部が占める領域の面積の割合は略３０％とした。上記最短距離Ｌ１，Ｌ２，Ｌ３，Ｌ４，Ｌ５は、２．３ｍｍ、３．０ｍｍ、５．２ｍｍ、４．７ｍｍ、３．３ｍｍとした。
【００６８】
【表２】
2019176972.tif 000004
【００６９】
表２に示されるように、試料７〜１０のアイアンゴルフクラブヘッドの各比率Ｖ／Ｓは、３．５未満であり、４．０以上であるものは確認されなかった。
【００７０】
一方、試料１１のアイアンゴルフクラブヘッドの比率Ｖ／Ｓは５．７７であった。つまり、本実施の形態に係るアイアンゴルフクラブヘッド１００はゴルファーが満足できるボリューム感を有していることが確認された。
＜実験３：バッジ部の撓みやすさ＞
本実験では、バッジ部の撓みやすさを、コンピュータシミュレーションにより評価した。具体的には、試料１２のバッジ部として、本実施の形態に係るバッジ部２の撓みやすさを評価した。つまり、試料１２のバッジ部は、試料１１のバッジ部と同等とした。さらに、試料１３のバッジ部として、上記比率Ｖ／Ｓが試料１２と同等であるが、複数の凹部が設けられていないバッジ部の撓みやすさを評価した。試料１２および試料１３の各上記比率Ｖ／Ｓは、上述のように５．７７であった。試料１２および試料１３の金属プレートを構成する材料はＮｉとし、樹脂プレートを構成する材料はＴＰＵとした。
【００７１】
コンピュータシミュレーションによる評価試験では、バッジ部に対する３点曲げ試験を行った。具体的には、まず、バッジ部のトウヒール方向の中央部に位置し上縁部から下縁部に至る幅１ｍｍの中央帯状領域に対し、ヒール部側に２０ｍｍ離れた幅１ｍｍのヒール部側帯状領域と、トゥ部側に２０ｍｍ離れた幅１ｍｍのトゥ部側帯状領域とが拘束された条件を設定した。次に、上記中央帯状領域に対向面側から合計荷重３０Ｎを均一に印加し、このときの最大変位量を評価した。
【００７２】
評価の結果、試料１３の最大変位量は０．０２ｍｍであった。試料１３において０．０２ｍｍ撓む領域は、上記中央帯状領域において相対的に厚みが薄い上縁部の近傍領域に限られていた。特に、試料１３では、上記中央帯状領域内において相対的に厚いが凹部が設けられていない下縁部側の変位量が０．０１ｍｍ未満であった。
【００７３】
これに対し、試料１２の最大変位量は０．０３ｍｍであった。さらに、試料１３において０．０３ｍｍ撓む領域は、試料１２において０．０２ｍｍ撓む領域と比べて、相対的に厚みが薄い上記第１部分および相対的に厚みが厚い上記第２部分のいずれにも、トウヒール方向および上下方向に広がっていた。試料１２では、上記中央帯状領域内において相対的に厚い下縁部側の変位量も０．０１５ｍｍ以上であった。試料１２は、バッジ部において相対的に厚みが厚い上記第２部分に複数の凹部が設けられていることにより、複数の凹部が設けられていない試料１３と比べて、撓みやすいことが確認された。
＜実験４：バッジ部の剥がれにくさ＞
本実験では、上記試料１１について、バッジ部の剥がれにくさを評価した。具体的には、常温下（２３℃）において、試料１１のフェースセンターで３０００回打球したときに、バッジ部がヘッド部から剥がれるか否かを評価した。打球時のヘッドスピードは３９ｍ／ｓとした。なお、図１５を参照して、フェースセンターＦＣは、アイアンゴルフクラブヘッドのスコアラインセンターＳＣ上において、リーディングエッジＬＥから１５ｍｍトップエッジ側に位置する部分とした。また、ヘッド部を構成する材料はクロムモリブデン鋼とし、金属プレートを構成する材料はＮｉとし、樹脂プレートを構成する材料はＴＰＵとした。接着部には両面テープを用いた。
【００７４】
評価の結果、３０００回の打球後にも、バッジ部はヘッド部から剥がれなかった。このことから、上記比率Ｖ／Ｓが４．０以上試料１１のそれ以下であるアイアンゴルフクラブヘッドでは、バッジ部が剥がれにくいことが確認された。また、上記比率Ｖ／Ｓが試料１１のそれ超え１０．０以下であるアイアンゴルフクラブヘッドであっても、複数の凹部の構成を適切に設定することで、上記実験３の試料１２と同等の最大変位量を実現することができる。このようなアイアンゴルフクラブヘッドのバッジ部の剥がれにくさは、試料１１のそれと同等となる。
【００７５】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００７６】
１  ヘッド部、２  バッジ部、３  接着部、１０  本体部、１０ａ  トップエッジ部、１０ｂ  リーディングエッジ部、１０ｃ  ヒール部、１０ｄ  トゥ部、１１  フェース面、１２  溝部、１３  縁部、１４  キャビティ部、１５  裏面、１５ａ  第１頂面、１５ｂ  第１傾斜面、１５ｃ  第１底面、１６  厚肉部、１７  テーパ部、１８  薄肉部、１９  アンダーカット、２０  ホーゼル部、２０ａ  上縁部、２０ｂ  下縁部、２０ｃ  ヒール側縁部、２０ｄ  トゥ側縁部、２０ｅ  第１部分、２０ｆ  第２部分、２０ｇ  周縁部、２１  金属プレート、２２  樹脂プレート、２２ｅ  第３部分、２２ｆ  第４部分、２３  露出面、２４  対向面、２５  凹部、２４ａ  第２底面、２４ｂ  第２傾斜面、２４ｃ  第２頂面、１００  アイアンゴルフクラブヘッド、１１０  シャフト、１２０  グリップ、２００  アイアンゴルフクラブ。
【図１】
2019176972.tif 000005
【図２】
2019176972.tif 000006
【図３】
2019176972.tif 000007
【図４】
2019176972.tif 000008
【図５】
2019176972.tif 000009
【図６】
2019176972.tif 000010
【図７】
2019176972.tif 000011
【図８】
2019176972.tif 000012
【図９】
2019176972.tif 000013
【図１０】
2019176972.tif 000014
【図１１】
2019176972.tif 000015
【図１２】
2019176972.tif 000016
【図１３】
2019176972.tif 000017
【図１４ａ】
2019176972.tif 000018
【図１４ｂ】
2019176972.tif 000019
【図１４ｃ】
2019176972.tif 000020
【図１４ｄ】
2019176972.tif 000021
【図１４ｅ】
2019176972.tif 000022
【図１４ｆ】
2019176972.tif 000023
【図１５】
2019176972.tif 000024